(57)【要約】      （修正有）【課題】注射装置の投薬量設定値を検出し、投薬量設定値を容易に且つ正確に検出することを可能にする装置及び方法を提供する。【解決手段】分与可能な製剤の投薬量を設定するため注射装置内にて投薬量の設定及び検出する方法であって、投薬量切換え装置１０は、投薬量切換え装置１０と接触装置の接点１２ａ、１２ｂとの間の接続を確立し得るよう方向変更され、投薬量切換え装置１０の第一の導電性領域１１と接触装置の接点１２ａ、１２ｂとの間にて、接続が確立されたとき、接点１２ａ、１２ｂにより第一の信号が出力され、投薬量切換え装置１０の第二の非導電性領域と、接触装置の接点１２ａ、１２ｂとの間の接続が確立されたとき、接点１２ａ、１２ｂにより第二の信号が出力され、投薬量を設定する過程の間、接点１２ａ、１２ｂによって出力された信号を評価することにより、投薬量の設定値が決定される。【選択図】図１
2007160096.tif 000002
【特許請求の範囲】
【請求項１】
少なくとも１つの導電性領域（１１）と、低導電性又は非導電性である少なくとも１つの領域とを有する少なくとも１つの投薬量切換え装置（１０）と、少なくとも１つの導電性接点（１２ａ、１２ｂ）を有する少なくとも１つの導電性装置とを備える注射装置用の投薬量設定モジュールにおいて、
投薬量切換え装置（１０）及び接触装置は、少なくとも１つの第一の位置内に互いに対して動くことができ、該少なくとも１つの第一の位置にて、少なくとも１つの接点（１２ａ、１２ｂ）は少なくとも１つの導電性領域（１１）と電気的に接続され、投薬量切換え装置（１０）及び接触装置は少なくとも１つの第二の位置内に互いに対して動くことができ、該第二の位置にて、少なくとも１つの接点（１２ａ、１２ｂ）は少なくとも１つの導電性領域と電気的に接続されず、
接点（１２ａ、１２ｂ）と導電性領域（１１）との間の第一の信号、特に、電流及び電圧は、第一の位置にて検出し又は測定することができ、第一の信号と異なる第二の信号は、第二の位置にて検出し又は測定することができる、注射装置用の投薬量設定モジュール。
【請求項２】
請求項１に記載の投薬量設定モジュールにおいて、接触装置は、２つの導電性接点（１２ａ、１２ｂ）を有し、双方の接点（１２ａ、１２ｂ）は、少なくとも１つの第一の位置にて少なくとも１つの導電性領域（１１）と電気的に接続され、少なくとも１つの接点（１２ａ、１２ｂ）は、少なくとも１つの第二の位置にて少なくとも１つの導電性領域と接触せず、第一の位置にて、２つの接点（１２ａ、１２ｂ）と導電性領域（１１）とにより形成された回路を通って流れる電流を測定することができ、第二の位置にて電流が流れないことを測定することができる、投薬量設定モジュール。
【請求項３】
請求項１又は２の何れかに記載の投薬量設定モジュールにおいて、少なくとも１つの投薬量切換え装置（１０）は、環状又は円筒状の形状であり、少なくとも１つの導電性領域（１１）と、低導電率又は無導電率の少なくとも１つの領域とは、投薬量切換え装置（１０）の円周に沿った部分として提供される、投薬量設定モジュール。
【請求項４】
請求項１ないし３の何れか１つに記載の投薬量設定モジュールにおいて、少なくとも２つの投薬量切換え装置（１０）を有し、投薬量切換え装置（１０）は、注射装置の長手方向軸線に沿って配設される、投薬量設定モジュール。
【請求項５】
請求項１ないし４の何れか１つに記載の投薬量設定モジュールにおいて、少なくとも１つの導電性領域（１１）は、導電性プラスチック、特に、無機質又は有機質半導体にて出来ている、投薬量設定モジュール。
【請求項６】
請求項１ないし５の何れか１つに記載の投薬量設定モジュールにおいて、低導電率又は無導電率の少なくとも１つの領域は、低導電率又は無導電率のプラスチックで出来ており、又は空気である、投薬量設定モジュール。
【請求項７】
請求項１ないし６の何れか１つに記載の投薬量設定モジュールにおいて、少なくとも１つの投薬量切換え装置（１０）は、導電性プラスチック、特に、無機質又は有機質半導体にて出来ている、投薬量設定モジュール。
【請求項８】
請求項１ないし７の何れか１つに記載の投薬量設定モジュールにおいて、少なくとも１つの接触装置は、少なくとも１つの接点（１２ａ、１２ｂ）が少なくとも１つの接触装置（１０）の１つの外面に対し恒久的に対向する位置にあるような設計とされる、投薬量設定モジュール。
【請求項９】
請求項１ないし８の何れか１つに記載の投薬量設定モジュールにおいて、少なくとも１つの接触装置（１０）は、少なくとも１つの接点（１２ａ、１２ｂ）が少なくとも１つの接触装置（１０）の１つの外面に弾性的に取り付けられるような設計とされる、投薬量設定モジュール。
【請求項１０】
請求項１ないし９の何れか１つに記載の投薬量設定モジュールにおいて、２つの投薬量切換え装置（１０）と、２つの接触装置とを有し、投薬量切換え装置（１０）及び接触装置（１０）は、投薬量設定モジュールの長手方向軸線に沿って配設され、また、第一の投薬量切換え装置（１０）及び第一の接触装置は、投薬量設定モジュールの長手方向に向けて互いに対向する位置にあると共に、第二の投薬量切換え装置（１０）及び第二の接触装置は、投薬量設定モジュールの長手方向に向けて互いに対向する位置にあるようにする、投薬量設定モジュール。
【請求項１１】
請求項１０に記載の投薬量設定モジュールにおいて、第一の投薬量切換え装置（１０）は、２つの導電性領域（１１）と、２つの低導電性領域又は非導電性領域とを有し、第二の投薬量切換え装置は、１つの導電性領域（１１）と、１つの僅かに導電性領域又は非導電性領域とを有し、第一の接触装置は、２つの接点（１２ａ、１２ｂ）を有し、第二の接触装置は、１つの接点（１２ａ、１２ｂ）を有し、その１つの接点は、投薬量切換え装置（１０）の周方向及び長手方向に向けて第一の接触装置の２つの接点の何れとも重なり合わない、投薬量設定モジュール。
【請求項１２】
請求項１１に記載の投薬量設定モジュールにおいて、第一の投薬量切換え装置（１０）の導電性領域（１１）及び僅かに導電性領域又は非導電性領域は、それぞれ第一の投薬量切換え装置（１０）の円周の４分の１を亙って伸び、第二の投薬量切換え装置（１０）の導電性領域（１１）及び僅かに導電性領域又は非導電性領域は、それぞれ第二の投薬量切換え装置（１０）の円周の半分を亙って伸びる、投薬量設定モジュール。
【請求項１３】
分与可能な製剤の投薬量を設定し得るよう、注射装置内にて投薬量設定値を検出する方法において、少なくとも１つの導電性領域（１１）と、少なくとも１つの僅かに導電性領域又は非導電性領域とを有する少なくとも１つの投薬量切換え装置（１０）及び少なくとも１つの導電性接点（１２ａ、１２ｂ）を有する少なくとも１つの接触装置は、少なくとも１つの第一の位置及び（又は）少なくとも１つの第二の位置内に互いに対して方向変更され、少なくとも１つの接点（１２ａ、１２ｂ）は、少なくとも１つの導電性領域（１１）と電気的に接続され、少なくとも１つの第一の位置にて少なくとも１つの接点（１２ａ、１２ｂ）と導電性領域（１１）との間にて第一の信号、特に電流又は電圧を検出することができ、また、少なくとも１つの第二の位置にて、少なくとも１つの接点（１２ａ、１２ｂ）は、導電性領域と電気的に接続されず、第一の信号と異なる第二の信号を検出することができる、注射装置内にて投薬量設定値を検出する方法。
【請求項１４】
分与可能な製剤の投薬量を設定する、請求項１３に記載の方法において、２つの投薬量切換え装置（１０）及び２つの接触装置は、少なくとも１つの第一の位置及び（又は）少なくとも１つの第二の位置内に互いに対して方向変更され、第一の接触装置の２つの接点（１２ａ、１２ｂ）は、第一の投薬量切換え装置の少なくとも１つの導電性領域（１１）と電気的に接続され、第二の接触装置の接点（１２ａ、１２ｂ）は、少なくとも１つの第一の位置にて第二の投薬量切換え装置の少なくとも１つの導電性領域（１１）と電気的に接続され、また、少なくとも１つの第二の位置にて、第一の接触装置の少なくとも１つの接点（１２ａ、１２ｂ）は、第一の投薬量切換え装置の少なくとも１つの導電性領域（１１）と電気的に接続されず、及び（又は）第二の接触装置の接点（１２ａ、１２ｂ）は、第二の投薬量切換え装置の少なくとも１つの導電性領域（１１）と電気的に接続されない、方法。
【請求項１５】
請求項１３又は１４の何れかに記載の方法において、大きい信号が第一の信号として使用され、小さい信号が第二の信号として使用される、方法。
【発明の詳細な説明】
【技術分野】
【０００１】
本発明は、装置、特に、投薬量計量供給モジュール、及び注射装置の投薬量の設定量を決定する方法に関し、より具体的には、本発明は、医療分野にて使用される分与可能な製剤の設定された投薬量を分与し、これにより分与可能な製剤の実際の量を導電性接点によって決定することのできるようにする装置及び方法に関する。
【背景技術】
【０００２】
一般的に言って、注射装置から分与すべき分与可能な製剤の投薬量は、投薬量設定ノブを回すことにより設定され、次に、例えば、投薬量設定ノブを押すことによって分与される。
【発明の開示】
【発明が解決しようとする課題】
【０００３】
ペンともしばしば称される、医療器具から可能な限り正確に例えば、インスリン、ホルモン処方剤又は同様のもののような液体投薬量を分与するため、投薬量を設定する過程を監視し、投薬量が不正確に設定されたならば、警告信号を発し、又はその投薬量が分与されるのを防止し得ることが必要である。
【０００４】
既知の装置は、機械的な原理に基づいて作用し、従って、製造が複雑であり、比較的不正確で且つ磨耗し易い。
国際出願公開明細書９３／１６７４３号には、注射装置のディスプレイユニットが開示されている。
【０００５】
本発明の１つの目的は、注射装置の投薬量設定値を検出し、投薬量設定値を容易に且つ正確に検出することを可能にする装置及び方法を提案することである。
【課題を解決するための手段】
【０００６】
この目的は、独立請求項に記載された主題事項に基づいて実現される。有益な実施の形態は、従属請求項に記載されている。
本発明により提案される装置、特に、本発明により提案される投薬量設定モジュールは、少なくとも１つの投薬量切換え装置と、少なくとも１つの接触装置とを有しており、装置又は投薬量設定モジュールは、注射装置にて設定された分与可能な又は注射可能な製剤、特に、インスリン又はホルモン処方剤のような液体の投薬量を検出し且つ監視することを可能にする。投薬量切換え装置は、投薬量切換えリングの形態にて提供されることが好ましく、また、少なくとも１つの投薬量切換え装置と接触するか又は接触又は接続を確立するため接触装置が使用される。少なくとも１つの投薬量切換え装置は、電流を伝導することのできる少なくとも１つの導電性領域と、電流を全く又は実質的に全く伝導できない、又は導電性領域よりも大きいオーム抵抗を少なくとも有する少なくとも１つの非導電性領域を備えるような設計とされている。接触装置は、電流を伝導し又は低オーム抵抗を有することのできる少なくとも１つの導電性領域、特に、導電性接点又はスライダを有している。
【０００７】
投薬量切換え装置は、少なくとも１つの第一の位置まで動かし又は方向変更することができ、この第一の位置において、導電性領域の１つを組み込む少なくとも１つの接点は、電気的接続を確立し又は電気的接点を確立するような特に設計とされている。投薬量切換え装置は、少なくとも１つの第二の位置まで動かし又は方向変更することができ、この第二の位置において、接点の少なくとも１つは、少なくとも１つの非導電性領域と接触し又は接続される。
【０００８】
該少なくとも１つの投薬量切換え装置は、例えば、正電位のような特定の所定の電位に維持されることが好ましく、また、少なくとも１つの接触装置は、例えば、負電位のような別の所定の電位に維持されることが好ましい。投薬量切換え装置を負電位に維持し、接触装置を正電位に維持するようにしてもよい。
【０００９】
分与すべき分与可能な製品の投薬量は、注射装置の投薬量設定ノブを回すことにより設定され、また、その結果、接触装置の接点と投薬量切換え装置の導電性領域との間の接続が確立されたならば、電流は、投薬量切換え装置の接点と導電性領域との間を流れることができ、この流れは、例えば、接点にて又は投薬量切換え装置にて測定することができる。接点が非導電性領域と接続されるならば、投薬量切換え装置又は非導電性領域と該領域と接続された接点との間にて電流が全く流れないことが好ましい。接触装置は、電圧源を介して互いに接続することのできる２つの導電性接点を有することもできる。投薬量設定モジュールは、双方の接点が導電性領域の１つと電気的に接続され又は該１つと接触している場合にのみ、接点が印加された電圧との電流回路を確立するような設計とすることができる。１つ又は双方の接点が非導電性領域と接触し又は接続されるならば、電流回路は接続せず、遮断されるから、接点及び電圧源により形成された電流回路を通って電流が流れないことが好ましい。特に、電流が接点の間を流れているかどうかを確認すべく点検し又は測定することができ、電流が流れている場合、双方の接点が投薬量切換え装置の導電性領域と接触しているという結論を導き出すことができる。投薬量切換え装置は、双方の接点が投薬量切換え装置の導電性領域と接触し、これにより電流が流れるのを許容する少なくとも１つの第一の位置に方向変更し又は動かすことができることが好ましい。投薬量切換え装置は、少なくとも１つ又は双方の接点が投薬量切換え装置の非導電性領域と接触する少なくとも１つの第二の位置に方向変更することもでき、この場合、遮断された回路を通って２つの接点の一方まで電流は流れず又は少しの電流のみが流れる。
【００１０】
該少なくとも１つの投薬量切換え装置は、円筒状又は環状の形状とすることが好ましく、又は、注射装置のねじ付きロッドを取り囲むリングの形態にて提供することができる。該少なくとも１つの導電性領域及び該少なくとも１つの非導電性領域は、投薬量切換え装置の円周の回りに配設し、特に、投薬量切換え装置の円周に沿って相互に分離した部分又は扇の形態にて提供することができる。
【００１１】
投薬量設定モジュールは、また、１つ以上又は少なくとも２つの投薬量切換え装置を有することもでき、この場合、投薬量切換え装置は、投薬量設定モジュール又は注射装置の長手方向軸線に沿って又は長手方向に向けて配設することができる。投薬量切換え装置は、互いに隣接し又は注射装置の長手方向に向けて互いに隔てられた距離だけ離間させることができる。少なくとも２つの投薬量切換え装置の全ては、同一の電位に維持され又は同一の電位に設定される。
【００１２】
少なくとも１つの投薬量切換え装置の少なくとも１つの導電性領域は、無機質又は有機質半導体のような導電性材料又はプラスチックにて出来ている。特に、投薬量切換え装置の全体は、導電性材料又は導電性プラスチックにて形成することもでき、この場合、非導電性プラスチックで出来たものであること好ましい非導電性部分又は非導電性領域を提供し、又は提供することができ、又は切欠きの形態にて提供し、このため、空気により形成することができる。
【００１３】
該少なくとも１つの接触装置は、該装置が該少なくとも１つの投薬量切換え装置の外面に対して位置し又は該外面に沿って動き又は摺動するような設計とされることが好ましい。特に、該少なくとも１つの接触装置は、外面上に保持することができ、この場合、該接触装置は、固定され且つ外面に対して恒久的に位置するようにするか、又は、該接触装置は、ばね式に取り付けて、このため、投薬量切換え装置の外面上にて撓み可能に位置し、また、凹凸が存在するならば、投薬量切換え装置の凹凸に従うようにする。
【００１４】
投薬量設定モジュールは、２つの投薬量切換え装置を有することが好ましく、この場合、これらは、投薬量設定モジュール又は注射装置の長手方向軸線に沿って提供されることが好ましく、また、２つの投薬量切換え装置は、長手方向に向けて互いに対して変位させることができる。投薬量設定モジュールは、２つの接触装置を有することが好ましく、この場合、接触装置は、注射装置の長手方向に向けて互いに対して変位し得るように取り付け、また、第一の投薬量切換え装置及び第一の接触装置は、投薬量設定モジュールの長手方向に向けて互いに対向する位置にあることが好ましく、また、第二の投薬量切換え装置及び第二の接触装置は、投薬量設定モジュールの長手方向に向けて互いに対向する位置にあるようにする。分与可能な製剤の投薬量は、投薬量設定モジュールによって設定することができ、投薬量が設定されたならば、２つの接触装置の接点は、投薬量切換え装置と接続することができる。接触装置及び投薬量切換え装置が互いに異なる電位に設定され、また、接点が２つの投薬量切換え装置の一方の導電性領域又は部分と接続されたならば、電流は接点まで流れることができる。接点が２つの投薬量切換え装置の一方の非導電性部分又は領域と接続されるならば、電流は接点まで流れることはできない。その結果、接点の信号又は出力信号の変化を評価することにより、投薬量設定モジュール又は注射装置の状況又は設定状態に関する結論を導き出すことができる。
【００１５】
第一の投薬量切換え装置は、２つの導電性領域を有することが好ましく、また、２つの非導電性領域及び第二の投薬量切換え装置は、１つの導電性領域と、１つの非導電性領域とを有することが好ましい。第一の接触装置は、また、特に、２つの接点を有することもでき、第二の接触装置が１つの接点を有し、その１つの接点は、投薬量切換え装置の周方向及び長手方向に向けて第一の接触装置の２つの接点の何れとも重なり合わないことが好ましい。好ましくは、３つの接点は注射装置又は投薬量設定モジュールの周方向に重なり合わず、又は互いに対向する位置にないようにこれらの接点が配設されるようにする。第一の投薬量切換え装置の導電性領域及び非導電性領域は、それぞれ第一の投薬量切換え装置の円周の４分の１を亙って伸び、第二の投薬量切換え装置の導電性領域及び非導電性領域はそれぞれ第二の投薬量切換え装置の円周の半分を亙って伸びるようにすることもできる。この配置の結果、投薬量設定モジュール又は注射装置の８つまでの設定値を明確に割り当て又は画成することができる。
【００１６】
接点が例えば、投薬量切換え装置の１つの導電性領域と接続され又は接触しているならば、電流はこの接点にて流れることができ、又は大きい信号を出力し又は論理値「１」を放出することができる。接点が投薬量切換え装置の１つの非導電性領域と接続され又は該非導電性領域と接触しているならば、この接点にて電流が流れることができず、又は弱い電流又は小さい信号が放出され又は論理値「０」が放出されることが好ましい。
【００１７】
本発明によって提案される方法により、分与可能な又は注射可能な製剤を保持する注射装置の投薬量設定値を検出することができる。例えば、投薬量を設定すべく注入又は注射装置の投薬量設定ノブを変位させ又は回したとき、投薬量切換え装置は、少なくとも１つの投薬量切換え装置と少なくとも１つの接触装置の少なくとも１つの接点との間の接続が確立される迄、投薬量切換え装置を変位させ又は方向変更することができる。例えば、少なくとも１つの投薬量切換え装置の少なくとも１つの導電性領域と少なくとも１つの接触装置の少なくとも１つの接点との間の接続が確立されたならば、好ましくは大きい信号である第一の信号又は論理値「１」を少なくとも１つの接点により出力し又は該接点にて検出することができる。例えば、少なくとも１つの投薬量切換え装置の少なくとも１つの非導電性領域と少なくとも１つの接触装置の少なくとも１つの接点との間の接続が確立されたならば、小さい信号のような、第一の信号と相違する第二の信号又は論理値「０」を少なくとも１つの接点により出力し又は該接点にて検出することができる。非導電性領域という用語は、切欠きを意味するものと解釈することもでき、この切欠きは、少なくとも１つの第二の位置において、少なくとも１つの非導電性領域と少なくとも１つの接点との間に、作用可能な接続部の意味にて解釈すべきである実質的な接続部が存在しないことを意味する。
【００１８】
特に、分与可能な製剤の投薬量を設定するため、２つの投薬量切換え装置と２つの接触装置との間の接続が確立されるように、２つの投薬量切換え装置を回すことができる。この場合、第一の投薬量切換え装置と第一の接触装置の２つの接点との間に第一の接続部を確立し、また、第二の投薬量切換え装置と第二の接触装置の１つの接点との間に第二の接続部を確立することができる。
【００１９】
第一の投薬量切換え装置及び第一の接触装置は、投薬量設定モジュールの長手方向に向けて互いに対向する位置にあることが好ましく、このため、接触装置の２つの接点は第一の投薬量切換え装置の外面に対向する位置にあり、また、投薬量切換え装置と作用可能に接続される。第一の接触装置の２つの接点の一方又は双方が第一の投薬量切換え装置の導電性領域と作用可能に接続され、又は接触しているならば、電流は流れることができ、１つ又は双方の接点にて大きい信号を発生させる。第一の接触装置の２つの接点の一方又は双方が第一の投薬量切換え装置の非導電性領域と接続され又は接触しているならば、電流は流れることができず又は少ない電流のみが流れることができ、一方又は双方の接点にて小さい信号が放出される。
【００２０】
第二の投薬量切換え装置及び第二の接触装置は、投薬量設定モジュールの長手方向に向けて互いに対向する位置にあることが好ましく、このため、第二の接触装置の接点は第二の投薬量切換え装置の外面に対向する位置にあり又は投薬量切換え装置と作用可能に接続される。第二の接触装置の接点が第二の投薬量切換え装置の導電性領域と作用可能に接続され又は接触しているならば、電流は流れることができ、接点にて大きい信号が放出される。第二の接触装置の接点が第二の投薬量切換え装置の非導電性領域と作用可能に接続され又は接触しているならば、電流は流れることができず又は少ない電流のみが流れることができ、接点にて小さい信号が出力される。
【発明を実施するための最良の形態】
【００２１】
以下に、好ましい実施の形態に基づいて本発明を説明する。
図１ａには、本発明の第一の実施の形態が示されており、この場合、投薬量設定モジュールは、その上に導電性プラスチック又は金属の導電性領域１１が形成された、非導電性プラスチックで出来たプラスチックリング１０を備える投薬量切換え装置の形態にて提供され、プラスチックリング１０は、接点に対して弾性的に押し付けられ又は接点に対してばね偏倚され、或いは、接点に対向して半径方向に保持され又は半径方向に向けて接点と接続されたままである。プラスチックリング１０は、注射装置の投薬量設定回転ホイール又は回転ノブと接続され又は注射装置に又は注射装置内に取り付けられる。投薬量設定モジュールは、接触装置として作用する２つの接点１２ａ、１２ｂ又はスライダも有しており、該接点又はスライダは、プラスチックリング１０の外面に対して半径方向に保持され又は取り付けられている。注射装置の投薬量設定ノブ又は投薬量設定ホイールを回転させ又は変位させたとき、プラスチックリング１０は、接点１２ａ、１２ｂに対して回転することができ、このため、プラスチックリング１０の異なる領域は動いて接点１２ａ、１２ｂ又はスライダと接触し又は作用可能に接続することができる。投薬量設定装置又はプラスチックリング１０のスライダ及び導電性領域１１は異なる電位に設定し、又は異なる電位を有するようにすることができる。
【００２２】
電圧を接点１２ａ、１２ｂの端子に印加することもできる。双方の接点１２ａ、１２ｂが投薬量切換え装置１０の導電性領域１１と接続されたならば、電流は導電性領域１１を介して１つの接点１２ａ、１２ｂから他方の接点１２ａ、１２ｂまで流れ、これにより回路を確立することができる。接点１２ａ、１２ｂの一方又は双方が非導電性領域と接触し又は接続されるならば、電流は流れることができず、これにより、投薬量設定モジュールの現在の設定状態、また、投薬量切換え装置のどの領域に接点が接続されているかに関して結論を導き出すことを可能にする。図１において、投薬量切換え装置の接点１２ａ、１２ｂ及び導電性領域１１が互いに接触しており、このことは電流がスライダと導電性領域１１との間にて流れることができることを意味する。この電流は、例えば、スライダにて記録し又は測定することができる。投薬量設定ノブを例えば、２２．５°だけ時計回り方向に又は反時計回り方向に更に回すならば、接点１２ａ、１２ｂの少なくとも１つは動いてプラスチックリング１０の非導電性領域と接触し、この場合、電流は流れることができず、又は少ない電流のみが流れることができる。
【００２３】
例えば、電圧が印加されることが好ましい双方の接点１２ａ、１２ｂを投薬量切換え装置又はプラスチックリング１０の導電性領域１１と接続し、２つの接点１２ａ、１２ｂが導電性領域１１を亙って流れる電流回路によって互いに接続されるようにすることができる。導電性領域１１は、オーム抵抗が小さく又は零であり、これにより、電流は検出可能又は測定可能となり、このため、導電性領域１１が２つの接点１２ａ、１２ｂに対して位置すると決定することができる。特に、投薬量切換え装置又はプラスチックリング１０の幾つか又は全ての導電性領域１１は、異なるオーム抵抗を有し、これにより、どの導電性領域１１が接点１２ａ、１２ｂに対向して位置するかに依存して強さの異なる電流となる。この電流は測定でき、これにより測定した電流すなわち測定した電流の強さに基づいて、どの導電性領域が接点１２ａ、１２ｂに対向して位置するかを決定することを可能にすることができる。別の位置すなわち投薬量設定位置において、導電性領域１１は、左側接点１２ａに対向して位置し、また、非導電性領域は右側接点１２ｂに対向して位置する。右側接点１２ｂに対向して位置する非導電性領域は、大きいオーム抵抗を有し、このため、接点１２ａ、１２ｂの間にて回路は確立されず、これにより電流は流れず又は少しの電流のみが流れる。左側接点１２ａが非導電性領域に対向して位置し、右側接点１２ｂがプラスチックリング１０の導電性領域１１に対向して位置するならば、同一の状況が生ずる。別の位置すなわち投薬量設定位置にあるとき、双方の接点１２ａ、１２ｂは、投薬量切換え装置又はプラスチックリング１０の非導電性領域と接続され、この場合、非導電性領域の大きいオーム性質すなわち抵抗性質のため、接点と非導電性領域との間に回路は確立されず、その結果、電流は流れず又は少しの電流のみが流れる。
【００２４】
図１ｂには、図１ａからの投薬量設定モジュールが示されており、この状態において、スライダ又は接点１２ａ、１２ｂは、ばね式に取り付けられ又は弾性的に配設され、このため、これらは、プラスチックリング１０の外面に対向して位置し、また、プラスチックリング１０の半径方向に動き且つプラスチックリング１０の半径方向に向けてプラスチックリング１０に対して押し付けられ、又はプラスチックリング１０に対して保持される。
【００２５】
図２ａ及び図２ｂには、本発明の別の実施の形態が示されており、図２ａは、本発明により提案される、投薬量設定モジュールの正面図又は断面図を示し、また、図２ｂは、その平面図を示す。投薬量設定モジュールは、投薬量設定モジュールの長手方向に向けて、一方が他方の後方になるように又は互いに隣接するよう配設された２つの投薬量切換え装置３０ａ、３０ｂを有している。投薬量設定モジュールは、投薬量設定モジュールの長手方向に向けて一方が後方の後となるように配設された２つの接触装置も有している。第一の投薬量切換え装置３０ａは、投薬量切換え装置３０ａの周方向に沿って互いに交番的に配置された２つの導電性領域３１と、２つの非導電性領域３２とを有している。第一の投薬量切換え装置３０ａは、切欠き又は凹部或いは切込み部を有しており、これら切込み部の内に接点３２ａ、３２ｂを配置することができ、又はこれらの切込み部によって接点３２ａ、３２ｂを投薬量切換え装置３０ａと作用可能に接続することができる。２つの接点３２ａ、３２ｂを有する第一の接触装置が投薬量設定モジュールの長手方向に向けて同一の位置に配設されている。これらの接点３２ａ、３２ｂは、投薬量切換え装置３０ａの外面に触れるように取り付けられる。投薬量設定モジュールは、導電性領域及び非導電性領域を有する第二の投薬量切換え装置３０ｂも備えている。第二の投薬量切換え装置３０ｂは、第一の接触装置３０ａの２つの接点３２ａ、３２ｂ間にて投薬量設定モジュールの周方向に配設された１つの接点３５を有する第二の接触装置に対向する位置に配設され、又は、第二の接触装置の接点３５が周方向に向けて第一の接触装置３０ａの２つの接点３２ａ、３２ｂと重なり合わないよう配設される。
【００２６】
図２ｂには、図２ａの装置が平面図にて示されている。投薬量切換え装置３０ａ、３０ｂ又は投薬量切換え装置の導電性領域にて、第一の正電位又は負電位が位置し、又は該導電性領域は第一の電位にあることが好ましい。接点３２ａ、３２ｂ、３５は、第一の電位と異なることが好ましい第二の電位に設定される。
【００２７】
図２ａ、図２ｂに示した位置において、第一の接触装置の第一の接点３２ｂは第一の投薬量切換え装置３０ａの非導電性領域３２と接続され、電流は流れず又は少ない電流のみが流れ、その結果、接点３２ｂにて論理値「０」又は小さい信号の出力となる。第一の接触装置の第二の接点３２ａは第一の投薬量切換え装置の導電性領域３１と接続され、電流が流れて接点３２にて論理値「１」又は大きい信号が出力される。第二の接触装置の接点３５はまた、第二の投薬量切換え装置３０ｂの導電性領域３１と接続され、電流が流れ、従って、接点３５にて論理値「１」又は大きい信号が出力される。投薬量切換え装置３０ａ、３０ｂが例えば、注射装置の回転ノブ又は投薬量設定ノブを回し又は動かすことにより１つの位置だけ時計回り方向に方向変更させるならば、双方の接点３２ａ、３２ｂは第一の投薬量切換え装置３０ａの導電性領域３１上に位置し、このため双方の接点にて電流が流れ又は大きい信号が出力される。第二の投薬量切換え装置３０ｂの接点３５が第二の投薬量切換え装置３０ｂの導電性領域上に位置して、３つの全ての接点にて電流が流れ又は論理値「１」が出力されるようにする。図２ａ、図２ｂに示した装置の場合、８つの投薬量設定値が設定されることが好ましく、この場合、各位置は接点にて生じる信号により明確に画成される。その結果、図２ａ、図２ｂに示した設計を使用して２つの投薬量切換え装置３０ａ、３０ｂにて８つまでの異なる投薬量設定値を明確に割り当て又は検出することができる。
【図面の簡単な説明】
【００２８】
【図１】１ａは、導電性プラスチック１１で出来た導電性領域１１を有して、投与量切換え装置１０として作用する非導電性プラスチックリング１０と、プラスチックリング１０に対して恒久的に位置する接触装置として作用するスライダとを備える、本発明の第一の実施の形態を示す図である。
【００２９】
１ｂは、導電性プラスチックで出来た領域１１を有する投与量切換え装置１０として作用する非導電性プラスチックリング１０と、接触装置として作用するばね式に取り付けられたスライダとを備える、本発明の別の実施の形態を示す詳細図である。
【図２】２ａは、第一及び第二の投与量切換え装置３０と、第一及び第二の接触装置とを有する本発明の別の実施の形態を示す断面図である。
【００３０】
２ｂは、図２ａに示した本発明の１つの実施の形態を示す、平面図である。
【符号の説明】
【００３１】
１０    プラスチックリング／投薬量切換え装置／投薬量設定装置
１１    導電性領域
１２ａ、１２ｂ    接点
３０ａ    第一の投薬量切換え装置
３０ｂ    第二の投薬量切換え装置
３１    導電性領域
３２    非導電性領域
３２ａ、３２ｂ    第一の接触装置の接点
３５    第二の接触装置の接点
【図１】
2007160096.tif 000003
【図２】
2007160096.tif 000004